(57)【要約】【課題】変更事項などの情報を一度の記入で、宛先が異なる複数の連絡媒体に同一の情報が記入できるようにし、異なる宛先へ同一の通知が簡単に行なえるようにする。【解決手段】宛先情報８を有している第一通知シート２と第一通知シート２の宛先情報８とは異なる宛名情報８を有している第二通知シート３とを分離可能に貼り合わせ、第一通知シート２の情報記入部７に記載した情報が第二通知シート３の情報記入部７に同時複写され、同時複写によって同一の情報を有した第一通知シート２と第二通知シート３とからそれぞれ宛先情報８が異なって郵送可能な形態の封書１２を得るようにした。【選択図】　　図１
2004017442.tif 000002
【特許請求の範囲】
【請求項１】
上面に情報記入部を有し下面に宛先情報を有した封書上紙片に、中央折り部を介して封書下紙片を折り合わせ可能に連接した第一通知シートと、
上面に情報記入部を有し下面に前記第一通知シートの宛先情報と異なる宛先情報を有した封書上紙片に、中央折り部を介して封書下紙片を折り合わせ可能に連接した第二通知シートとからなり、
前記第一通知シートと第二通知シートとは封書上紙片に対する封書下紙片の連接位置が互いに逆側に設けられ、
第一通知シートの封書上紙片の下位に第二通知シートの封書上紙片が位置するように重ね合わされて、第一通知シートの情報記入部に記入した情報が下位の第二通知シートの情報記入部に同時複写可能に設けられ、
前記第一通知シートの封書下紙片は、中央折り部から第一通知シートの封書上紙片の情報記入部側に折り合わせるときの対向面が内側となるようにして仮折り部で二つ折りされて、この二つ折りにより上方に表出している面に位置する記入事項説明面が、前記第一通知シートの情報記入部と同一面側に配置され、
前記第二通知シートの封書下紙片は、中央折り部から第二通知シートの封書上紙片の情報記入部側に折り合わせるときの対向面が内側となるようにして仮折り部で二つ折りされて、この二つ折りにより上方に表出している面に位置する記入事項説明面が、第一通知シートの前記情報記入部と同一面側に配置され、
前記第一通知シートと前記第二通知シートとには、それぞれ封書下紙片を展開した状態での周辺に沿って切取りミシン目が位置して、該切取りミシン目より外側の上面を辺接合面とし、
第一通知シートの展開状態とした封書下紙片における中央折り部とは反対側の辺の辺接合面と、中央折り部と直交する辺の辺接合面とに、該展開状態の封書下紙片を第一通知シートの封書上紙片に折り合わせたときに対向する辺接合面に貼着する貼着手段を有し、前記中央折り部と直交する辺の辺接合面の貼着手段は、仮折り部から二つ折り状態で貼着し合うことなく該仮折り部を境にして仮折り部長さ方向に互いに位置ずれして配置されていて、二つ折りされた第一通知シートの封書下紙片の前記貼着手段が、前記二つ折り状態での対向部位に位置する剥離剤面に剥離可能に貼着して、第一通知シートの二つ折りされた封書下紙片が展開可能に貼り合わされ、
第二通知シートの展開状態とした封書下紙片における中央折り部とは反対側の辺の接合面と、仮折り部と直交する辺であって二つ折り状態で対向する辺接合面の何れか一方の辺接合面とに、該展開状態の封書下紙片を第二通知シートの封書上紙片に折り合わせたときに対向する辺の辺接合面に貼着する貼着手段を有し、二つ折りされた第二通知シートの封書下紙片の前記貼着手段が、前記二つ折り状態での対向部位に位置する剥離剤面に剥離可能に貼着して、第二通知シートの二つ折りされた封書下紙片が展開可能に貼り合わされ、
前記第二通知シートの封書上紙片における中央折り部側を除く三辺の辺接合面の内、少なくとも中央折り部と直交する辺の辺接合面に貼着手段が設けられ、該貼着手段が、前記重ね合わせにて対向する第一通知シートの封書上紙片の下面に設けた剥離剤面に剥離可能に貼着して、第一通知シートと第二通知シートとが分離可能に貼り合わされ、
第一通知シートと第二通知シートとを分離してそれぞれ封書上紙片と展開した封書下紙片とを折り合わせたときの形態が封書形態となる構成としたことを特徴とする同報通知シート組。
【請求項２】
上記第一、第二通知シートの宛先情報と異なる宛先情報を下面に有した封書上紙に、中央折り部を介して封書下紙片を折り合わせ可能に連接した第三通知シートを備え、
前記第三通知シートにおける封書上紙片が、上記第二通知シートの封書上紙片の下位に重ね合わせられるように位置して、第三通知シートの封書上紙片の上面に、上記第一通知シートの情報記入部に記入した情報が同時複写可能な情報記入部を有し、
前記第三通知シートには封書下紙片を展開した状態での周辺に沿って切取りミシン目が位置して、該切取りミシン目より外側の上面を辺接合面とし、
前記第三通知シートの封書上紙片における中央折り部側を除く三辺の辺接合面の内、少なくとも中央折り部と直交する辺の辺接合面に貼着手段が設けられ、該貼着手段が、前記重ね合わせにて対向する第二通知シートの封書上紙片の下面に設けた剥離剤面に剥離可能に貼着して、第二通知シートと第三通知シートとが分離可能に貼り合わされ、
第二通知シートから分離して前記封書上紙片と封書下紙片とを折り合わせたときの形態が封書形態となる構成とした請求項１に記載の同報通知シート組。
【発明の詳細な説明】
【０００１】
【発明の属する技術分野】
本発明は、異なる宛先情報を有して書き込まれた同じ情報を、それぞれの宛先に郵送できる媒体が得られるようにした同報通知シート組に関するものである。
【０００２】
【発明が解決しようとする課題】
従来から電力供給会社、ガス供給会社、電話会社などの各種公共機関においては、契約者が予め届け出している情報をその契約者の都合で変更をする必要があるとき、契約者側から変更事項を通知しやすくするために、銀行や郵便局、コンビニエンスストアなどの利用度の高い施設に届け出用紙を用意しており、契約者が変更事項を記載した後に封筒や葉書などの形態として郵送できるようにしている。
しかしながら、住所変更などの変更事項を記載できるようにした届け出用紙を、各公共機関それぞれが独自に用意しているため、同一の変更事項を公共機関ごとの用紙に個別に記入しているのが現状であり、変更事項を通知する作業が煩雑となる不都合があった。
そこで本発明は上記事情に鑑み、変更事項などの情報を一度の記入で、宛先が異なる複数の連絡媒体に同一の情報が記入できるようにすることを課題とし、異なる宛先へ同一の通知が簡単に行なえるようにすることを目的とする。
【０００３】
【課題を解決するための手段】
本発明は上記課題を考慮してなされたもので、上面に情報記入部を有し下面に宛先情報を有した封書上紙片に、中央折り部を介して封書下紙片を折り合わせ可能に連接した第一通知シートと、上面に情報記入部を有し下面に前記第一通知シートの宛先情報と異なる宛先情報を有した封書上紙片に、中央折り部を介して封書下紙片を折り合わせ可能に連接した第二通知シートとからなり、前記第一通知シートと第二通知シートとは封書上紙片に対する封書下紙片の連接位置が互いに逆側に設けられ、第一通知シートの封書上紙片の下位に第二通知シートの封書上紙片が位置するように重ね合わされて、第一通知シートの情報記入部に記入した情報が下位の第二通知シートの情報記入部に同時複写可能に設けられ、前記第一通知シートの封書下紙片は、中央折り部から第一通知シートの封書上紙片の情報記入部側に折り合わせるときの対向面が内側となるようにして仮折り部で二つ折りされて、この二つ折りにより上方に表出している面に位置する記入事項説明面が、前記第一通知シートの情報記入部と同一面側に配置され、前記第二通知シートの封書下紙片は、中央折り部から第二通知シートの封書上紙片の情報記入部側に折り合わせるときの対向面が内側となるようにして仮折り部で二つ折りされて、この二つ折りにより上方に表出している面に位置する記入事項説明面が、第一通知シートの前記情報記入部と同一面側に配置され、前記第一通知シートと前記第二通知シートとには、それぞれ封書下紙片を展開した状態での周辺に沿って切取りミシン目が位置して、該切取りミシン目より外側の上面を辺接合面とし、第一通知シートの展開状態とした封書下紙片における中央折り部とは反対側の辺の辺接合面と、中央折り部と直交する辺の辺接合面とに、該展開状態の封書下紙片を第一通知シートの封書上紙片に折り合わせたときに対向する辺接合面に貼着する貼着手段を有し、前記中央折り部と直交する辺の辺接合面の貼着手段は、仮折り部から二つ折り状態で貼着し合うことなく該仮折り部を境にして仮折り部長さ方向に互いに位置ずれして配置されていて、二つ折りされた第一通知シートの封書下紙片の前記貼着手段が、前記二つ折り状態での対向部位に位置する剥離剤面に剥離可能に貼着して、第一通知シートの二つ折りされた封書下紙片が展開可能に貼り合わされ、第二通知シートの展開状態とした封書下紙片における中央折り部とは反対側の辺の接合面と、仮折り部と直交する辺であって二つ折り状態で対向する辺接合面の何れか一方の辺接合面とに、該展開状態の封書下紙片を第二通知シートの封書上紙片に折り合わせたときに対向する辺の辺接合面に貼着する貼着手段を有し、二つ折りされた第二通知シートの封書下紙片の前記貼着手段が、前記二つ折り状態での対向部位に位置する剥離剤面に剥離可能に貼着して、第二通知シートの二つ折りされた封書下紙片が展開可能に貼り合わされ、前記第二通知シートの封書上紙片における中央折り部側を除く三辺の辺接合面の内、少なくとも中央折り部と直交する辺の辺接合面に貼着手段が設けられ、該貼着手段が、前記重ね合わせにて対向する第一通知シートの封書上紙片の下面に設けた剥離剤面に剥離可能に貼着して、第一通知シートと第二通知シートとが分離可能に貼り合わされ、第一通知シートと第二通知シートとを分離してそれぞれ封書上紙片と展開した封書下紙片とを折り合わせたときの形態が封書形態となる構成としたことを特徴とする同報通知シート組を提供して、上記課題を解消するものである。
【０００４】
そして、本発明において、上記第一、第二通知シートの宛先情報と異なる宛先情報を下面に有した封書上紙に、中央折り部を介して封書下紙片を折り合わせ可能に連接した第三通知シートを備え、前記第三通知シートにおける封書上紙片が、上記第二通知シートの封書上紙片の下位に重ね合わせられるように位置して、第三通知シートの封書上紙片の上面に、上記第一通知シートの情報記入部に記入した情報が同時複写可能な情報記入部を有し、前記第三通知シートには封書下紙片を展開した状態での周辺に沿って切取りミシン目が位置して、該切取りミシン目より外側の上面を辺接合面とし、前記第三通知シートの封書上紙片における中央折り部側を除く三辺の辺接合面の内、少なくとも中央折り部と直交する辺の辺接合面に貼着手段が設けられ、該貼着手段が、前記重ね合わせにて対向する第二通知シートの封書上紙片の下面に設けた剥離剤面に剥離可能に貼着して、第二通知シートと第三通知シートとが分離可能に貼り合わされ、第二通知シートから分離して前記封書上紙片と封書下紙片とを折り合わせたときの形態が封書形態となる構成とすることが可能である。
【０００５】
【発明の実施の形態】
つぎに本発明を、図１から図６に示す実施の形態に基づいて詳細に説明する。
図中１は本発明に係る同報通知シート組で、該同報通知シート組１は、図１に示されているように第一通知シート２と第二通知シート３とを重ね合わせたものであり、まず、第一通知シート２は、封書上紙片４に中央折り部５を介して封書下紙片６を折り合わせ可能に連接し、第二通知シート３では、前記第一通知シート２の封書上紙片４に対する封書下紙片６の連接方向とは逆にして、封書上紙片４に中央折り部５を介して封書下紙片６を折り合わせ可能に連接している。このように第一通知シート２と第二通知シート３とはそれぞれ封書上紙片４と封書下紙片６とを連接したものであり、後述の重ね合わせによって郵送可能な形態の封書を得ることができるものである。
図１に示す形態で上位に位置する第一通知シート２は、上方から見た状態において封書上紙片４の左辺側に封書下紙片６が位置しているとともに、下位の第二通知シート３は、封書上紙片４の右辺側に封書下紙片６が位置していて、そして、第一通知シート２の封書上紙片４の下位に第二通知シート３の封書上紙片４が位置し、この二つの封書上紙片４を後述するように剥離可能に貼り合わせことで第一通知シート２と第二通知シート３とが分離可能に重ね合わされている（図２参照）。
【０００６】
本同報通知シート組１において、第一通知シート２の封書上紙片４と第二通知シート３の封書上紙片４とはそれぞれ上面に情報記入部７を有していて、第一通知シート２の情報記入部７の位置に重なるようにして第二通知シート３の情報記入部７が下位に位置している。さらに、上位の情報記入部７に記入した情報が下位の情報記入部７に同時複写可能に設けられおり、上位の情報記入部７への一度の記入で第一通知シート２と第二通知シート３とが同一情報を有することができる。
【０００７】
図３（ロ）と図４（ロ）に示されているように上記封書上紙片４それぞれの下面には宛先情報８が設けられているが、上位の封書上紙片４の宛先情報８が示す送り先と下位の封書上紙片４の宛先情報８が示す送り先とは異なっている。即ち、本同報通知シート組１から得られる複数の封書は上述の同時複写により同一の情報を有していても、それぞれが異なる送り先に郵送できるようにしている。
【０００８】
図２、図３（イ）で示すように、第一通知シート２と第二通知シート３の封書下紙片６はともに展開可能に二つ折りした状態に設けられている。まず、上位の第一通知シート２の封書下紙片６は、中央折り部５から第一通知シート２の封書上紙片４の情報記入部７側に折り合わせるときの対向面９が内側となるように前記中央折り部５と平行な仮折り部１０から二つ折りしている。そして、この二つ折りにより上方に表出している面には、上記情報記入部７の記入方法に関する情報が予め記載されている記入事項説明面１１が設けられていて、この記入事項説明面１１が情報記入部７と同一面側に配置されている。
また、図２、図４（イ）で示すように、第二通知シート３の封書下紙片６も、中央折り部５から第二通知シート３の封書上紙片４の情報記入部７側に折り合わせるときの対向面９が内側となるように、前記中央折り部５と平行な仮折り部１０から二つ折りされていて、この二つ折りにより上方に表出している面にも記入事項説明面１１が、第一通知シート２の前記情報記入部７と同一面側に配置されている（第一通知シート２と第二通知シート３とが重ね合わされている同報通知シート組１の形態時）。
なお、上記二つの記入事項説明面１１には、本同報通知シート組１の取り扱いについての情報や第一通知シート２の情報記入部７の記入例を記載してもよい。また、第二通知シート３の記入事項情報説明面１１は第二通知シート３の封書下紙片６を二つ折りして上方に表れているものであることから、第一通知シート２と第二通知シート３とを分離すれば、この記入事項説明面１１は第二通知シート３の封書上紙片４における情報記入部７と同一面側に位置することになる。そのため、第二通知シート３の記入事項説明面１１については第二通知シート３の情報記入部７についての説明などを記載することも可能である。
【０００９】
本同報通知シート組１では、第一通知シート２と第二通知シート３の上記情報記入部７に情報を同時複写させた後に分離し、この第一通知シート２と第二通知シート３それぞれで封書上紙片４と封書下紙片６とから三方が封着された封書１２が得られるようにしている（図５参照）。
まず、第一通知シート２は、図３（イ）に示すように、封書下紙片６を展開状態とした状態において周辺に沿って切取りミシン目１５を有し、この切取りミシン目１５から外側における上面を辺接合面１６としており、展開状態とした封書下紙片６における中央折り部５側を除く三辺の辺接合面１６に貼着手段１３を設けている。この貼着手段１３は展開状態としたときの封書下紙片６を第一通知シート２の封書上紙片４に折り合わせたときの対向辺の辺接合面１６に貼着するものであり、封書上紙片４と封書下紙片６との対向辺（中央折り部５側を除く）をこの貼着手段１３で貼り合わせて封書１２が得られる。
また、第一通知シート２の封書下紙片６では予め仮折り部１０で二つ折りされていて、この二つ折り状態の時点では前記貼着手段１３が対向部位に位置する剥離剤面１４に剥離可能に貼着している。即ち、第一通知シート２の封書下紙片６は展開可能に貼り合わされた状態で二つ折りされ、上述のように第一通知シート２の情報記入部７に情報を記入してから第二通知シート３と分離し、この後に封書１２を作成するに際して前記第一通知シート２の封書下紙片６を展開して貼着手段１３を表出させ、第一通知シート２の封書上紙片４と封書下紙片６とを折り合わせることで封書１２が得られる。
【００１０】
つぎに、図４（イ）に示すように、第二通知シート３においても、封書下紙片６を展開状態とした状態において周辺に沿って切取りミシン目１５を有し、この切取りミシン目１５から外側における上面を辺接合面１６としており、展開状態とした封書下紙片６における中央折り部５側を除く三辺の辺接合面１６に貼着手段１３を設けていて、この貼着手段１３は、展開状態とした封書下紙片６をこの第二通知シート２の封書上紙片４に折り合わせたときの対向辺に貼着する。このように第二通知シート３も、封書上紙片４と封書下紙片６との対向辺（中央折り部５側を除く）が貼り合わされて封書１２が得られる。
そして、第一通知シート２の封書下紙片６と同じように、第二通知シート３の封書下紙片６も予め仮折り部１０で二つ折りされていて、二つ折り状態の時点で上記貼着手段１３が対向部位に位置する剥離剤面１４に剥離可能に貼着している。よって、第二通知シート３の封書下紙片６は展開可能に貼り合わされた状態で二つ折りされ、第二通知シート３の情報記入部７に情報を記入してから第一通知シート２から分離し、封書１２を作成するに際して第二通知シート３の二つ折りの封書下紙片６を展開して貼着手段１３を表出させ、第二通知シート３の封書上紙片４と封書下紙片６とを折り合わせて封書１２を得るようにする。
【００１１】
上述したように、第一通知シート２に設けられている貼着手段１３は展開したときの封書下紙片６の三方の辺の辺接合面１６に位置しているが、展開可能に二つ折りした構成とするため、前記三方の辺の内、中央折り部５と直交する上下の辺の辺接合面１６の貼着手段１３においては、仮折り部１０から二つ折り状態で貼着し合うことがないように仮折り部１０を境にして仮折り部長さ方向に互いに位置をずらして段違い状に配置されている。
また、第二通知シート３に設けられている貼着手段１３は、この封書下紙片６を展開したときの封書下紙片６の三方の辺の内、中央折り部５と対向する辺の辺接合面１６に位置しているとともに、中央折り部５と直交する上下辺の辺接合面１６に配置されているが、展開可能に仮折り部１０で二つ折りした構成とするために、仮折り部１０から二つ折りして対向する一方の辺接合面１６に貼着手段１３が配置されるものであって、図示の例では仮折り部１０から外方部分に貼着手段１３が配置されている。さらにこの第二通知シート３では、封書上紙片４の中央折り部５と直交する上下辺における辺接合面１６の略１／２長に貼着手段１３が設けられていて、展開した封書下紙片６を封書上紙片４に重ね合わせたとき、封書下紙片６の上下辺における中央折り部５から仮折り部１０に位置する剥離剤面１４が形成されていない部分に貼着する位置としている。
この第二通知シート３の封書上紙片４の中央折り部５と直交する上下辺の辺接合面１６に位置する上記貼着手段１３（図４（イ）参照）は、第一通知シート２と第二通知シート３とが重ね合わされている時点で、第一通知シート２の封書上紙片４の下面に設けた剥離剤面１４に剥離可能に貼着しており（図３（ロ）参照）、この第二通知シート３の封書上紙片４の上下辺の辺接合面１６の貼着手段１３によって第一通知シート２と第二通知シート３とが分離可能に重ね合わされて一体として取り扱えるように設けられ、そして必要時に第一通知シート２と第二通知シート３とを分離できるようにしている。
なお、第一通知シート２と第二通知シート３とを貼り合わせる第二通知シート３の封書上紙片４の上記貼着手段１３は、第二通知シート３の中央折り部５側を除く封書上紙片４の三周辺に亘って設けるようにしてもよく、その場合には上位の第一通知シート２の封書上紙片４の下面に設ける剥離剤面１４を対応させればよい。
【００１２】
同報通知シート組１の第一通知シート２における情報記入部７に情報を書き入れ、第一通知シート２と第二通知シート３とを分離し、封書上紙片４と封書下紙片６を折り合わせることでそれぞれ宛先情報８が異なる封書１２が得られる、上述したように第一通知シート２と第二通知シート３とには、それぞれ封書下紙片６を展開した状態での周辺に沿って切取りミシン目１５が設けられて、切取りミシン目１５の外側の辺接合面１６に上記各貼着手段１３が位置するようにしているため、封書１２それぞれは三辺に切取りミシン目１５を有したものとなり、封書１２を開封するに際しては、切取りミシン目１５から接着された辺部を切り取るようにすればよく、簡単に開封が行なえる。
【００１３】
上述した実施の例では同報通知シート組１を第一通知シート２と第二通知シート３とを重ね合わせたものとして示したが、本発明はこれに限定されるものではない。図６に示した同報通知シート組１は、第二通知シート３の封書上紙４の下位にして上面を情報記入部７とし下面を第一通知シート２、第二通知シート３のそれぞれの宛先情報８とは異なる送り先を示す宛先情報８を有する封書上紙片４と、この封書上紙片４に中央折り部５を介して折り合わせ可能に連接された封書下紙片６とからなる第三通知シート１７を備えているものである。
この第三通知シート１７は、上記第二通知シート３における封書上紙片４に対しての封書下紙片６の連接方向を逆にしたものであり、封書上紙片４に対する封書下紙片６の連接位置を第一通知シート２と同じにしている。そして、封書上紙片４と封書下紙片６との連接位置を第一通知シート２と同じにしながらその他の構成を第二通知シート３と同様とし、第三通知シート１７の封書上紙片４における中央折り部５に直交する上下辺の辺接合部１６に配置した貼着手段１３が、この貼着手段１３に対応して第二通知シート３の封書上紙片４の下面に設けた剥離剤面１４に剥離可能に貼着することによって、この第三通知シート１７が第二通知シート３に分離可能に重ね合わされている。勿論、この第三通知シート１７も、第二通知シート３から分離した後、第一通知シート２や第二通知シート３と同様に、封書上紙片４と二つ折り状態から展開した封書下紙片６とを折り合わせることで封書１２が得られるものである。
【００１４】
【発明の効果】
以上説明した本発明によれば、第一通知シートと第二通知シートとが分離可能に貼り合わされて、第一通知シートの情報記入部に記載した情報が第二通知シートの情報記入部に同時複写され、この複写により同一の記入情報を有した第一通知シートと第二通知シートとからそれぞれ宛先が異なって郵送可能な形態の封書が得られるようになるため、封筒に入れる書面や葉書などの複数の通知媒体に個別に同一情報を記入する手間を要することなく、一回の情報の記入で同一の情報を異なる送付先に通知できて労力を大幅に削減できるようになる。また、情報記入部と同一面側に封書下紙片の一部を利用した記入事項説明面が位置しているため、記入方法などの説明文を記載した紙片を組み合わせる必要がなく、同報通知シート組の構成が簡単になる。
そして、第一通知シートと第二通知シートとのそれぞれの周辺に切取り用ミシン目を設けられているので、第一通知シートや第二通知シートから得られた封書を開封する場合にその切り取り用ミシン目から封着部位の辺を取り除くという簡易な操作で開封が行なえる。
さらに、第二通知シートの封書上紙片の下位に封書上紙片を分離可能に重ね合わせてなる第三通知シートを備えるようにすることで、より多く送付先に同一情報を通知することができるなど、実用性に優れた効果を奏するものである。
【図面の簡単な説明】
【図１】本発明に係る同報通知シート組の一例を示すもので、（イ）は第一通知シート側から見た状態を示す説明図、（ロ）は断面を示す説明図である。
【図２】一例を第一通知シートと第二通知シートに分離した状態で示す説明図である。
【図３】第一通知シートを示すもので、（イ）は第一通知シートの上面を示す説明図、（ロ）は第一通知シートの下面を示す説明図である。
【図４】第二通知シートを示すもので、（イ）は第二通知シートの上面を示す説明図、（ロ）は第二通知シートの下面を示す説明図である。
【図５】作成された封書を示すもので、（イ）は第一通知シートからなる封書を示す説明図、（ロ）は第二通知シートからなる封書を示す説明図である。
【図６】第三通知シートを備える例を示す説明図である。
【符号の説明】
１…同報通知シート組
２…第一通知シート
３…第二通知シート
４…封書上紙片
５…中央折り部
６…封書下紙片
７…情報記入部
８…宛先情報
１０…仮折り部
１１…記入事項説明面
１３…貼着手段
１４…剥離剤面
１６…辺接合面
１７…第三通知シート
【図１】
2004017442.tif 000003
【図２】
2004017442.tif 000004
【図３】
2004017442.tif 000005
【図４】
2004017442.tif 000006
【図５】
2004017442.tif 000007
【図６】
2004017442.tif 000008